【事件の表示】
　特許第２９８８９２９号「硬質ワックス及び皮膜形成ポリマーの混合物を含むマスカラ組成物」の請求項１ないし１０に係る特許に対する特許異議の申立てについて、次のとおり決定する。
【結　論】
　訂正を認める。
　特許第２９８８９２９号の請求項１ないし１０に係る特許を維持する。
【理　由】
 　　　　　　　　　　　　　　　　
１．手続の経緯
　　　　　　　　　　　　　　　　　　　
　本件特許第２９８８９２９号に係る発明は、平成１０年１２月２２日（優先権主張日　１９９７年１２月３１日　フランス）に特許出願され、平成１１年１０月８日に特許権が設定登録された。その後、その特許について、異議申立人福島一郎より特許異議の申立てがされ、特許の取消しの理由が通知された後、その指定期間内である平成１３年３月５日に明細書の訂正請求（その後取り下げ）がされ、その後再度取消理由が通知され、その指定期間内である平成１３年１１月２２日に訂正請求がなされたものである。
　　　　　　　　　　　　　　　　　
２．訂正の適否
　　　　　　　　　　　　　　
２−１．訂正の内容
　訂正の内容は、平成１３年１１月２２日付けの訂正請求書及びそれに添付された訂正明細書の記載からみて、以下のとおりである。
　　　　　　　　　　　　　　
「【請求項１】　ケラチン繊維をカールさせる及び／または濃くする方法において、　前記ケラチン繊維に、カールさせる及び／または濃くするために有効な量の、　
（ｉ）１から７．５の範囲の針貫通及び７７℃から１１０℃の範囲の融点を持つ少なくとも１つのワックスの水中ワックス型エマルションであって、
前記少なくとも一つのワックスが、組成物全重量に対して少なくとも１０重量％含有され、さらに、前記少なくとも一つのワックスが、１μｍ以上のサイズの粒子形態であるエマルション、及び、
（ｉｉ）組成物全重量に対して少なくとも０．１重量％の、少なくとも１つの皮膜形成ポリマーを含有するポリマー系であって、
前記ポリマー系が、水中７％の濃度において、４０％の相対湿度下、３０℃で、単離された角質層の１％を越える収縮を起こす皮膜を形成できるポリマー系を含有してなるマスカラ組成物を適用することを含む方法。」
を、
　「【請求項１】　ケラチン繊維に、カールさせ、且つ、濃くするために有効な量の、
（ｉ）１から７．５の範囲の針貫通及び７７℃から１１０℃の範囲の融点を持つ少なくとも１つのワックスの水中ワックス型エマルションであって、前記少なくとも一つのワックスが、組成物全重量に対して少なくとも１０重量％含有され、さらに、前記少なくとも一つのワックスが、１μｍ以上のサイズの粒子形態であるエマルション、及び、
（ｉｉ）組成物全重量に対して少なくとも０．１重量％の、少なくとも１つの皮膜形成ポリマーを含有するポリマー系であって、前記ポリマー系が、水中７％の濃度において、４０％の相対湿度下、３０℃で、単離された角質層の１％を越える収縮を起こす皮膜を形成できるポリマー系を含有してなり、０．１から５重量％の無水ケイ酸を含まないマスカラ組成物を適用することを含む、ケラチン繊維をロッドを用いずにカールさせ、且つ、濃くする方法。」
と訂正する。
　　　　　　　　　　　　　　　　　　　　
２−２．訂正の目的の適否、新規事項の有無、及び特許請求の範囲の拡張・変更の存否
　　　　　　　　　　　　　　　　　
　この訂正は、「ケラチン繊維をカールさせる及び／または濃くする方法」から、「ケラチン繊維をロッドを用いずにカールさせ、且つ、濃くする方法」に限定するものであって、特許請求の範囲の減縮を目的とするものである。また、０．１から５重量％の無水ケイ酸を含まないと規定することは当該マスカラ組成物についてさらなる限定を付加することであるから同じく減縮を目的とするものである。
　そして、上記訂正は、明細書に記載された事項の範囲内であることが明らかであり、また実質上特許請求の範囲を拡張し、又は変更するものではない。
　　　　　　　　　　　　　
　したがって、上記訂正は、特許法第１２０条の４第２項及び同条第３項で準用する同第１２６条第２項及び３項の規定に適合するので、当該訂正を認める。
　　　　　　　　　　　　　　　
３．特許異議申立てについての判断
　　　　　　　　　
３−１．異議申立て理由の概要
　異議申立人は、本件特許は、特許法第１１３条第１項第２号の規定により取り消すべきであるとして以下の理由を主張している。
（１）本件請求項１の発明は甲第１〜６号証、本件請求項２の発明は甲第１〜４号証、本件請求項３の発明は甲第１〜５号証、本件請求項６〜７の発明は甲第１〜２、５号証のそれぞれに記載された発明であるから、特許法第２９条第１項第３号の規定に該当し特許を受けることができない。
（２）本件請求項１〜１０の発明は、甲第１〜６号証記載の発明に基づいて当業者が容易に発明をすることができたものであるから特許法第２９条第２項の規定に該当し、特許を受けることができない。
　　　　　　　　　　　
３−２．　本件発明
　上記２．のとおり本件訂正は認容されるから、特許第２９８８９２９号の請求項１〜１０に係る発明（以下、それぞれ「本件発明１」「本件発明２」・・「本件発明１０」ということがある。）は、訂正明細書の特許請求の範囲の請求項１〜１０に記載された以下のとおりのものである。
　　　
【請求項１】　ケラチン繊維に、カールさせ、且つ、濃くするために有効な量の、　
（ｉ）１から７．５の範囲の針貫通及び７７℃から１１０℃の範囲の融点を持つ少なくとも１つのワックスの水中ワックス型エマルションであって、前記少なくとも一つのワックスが、組成物全重量に対して少なくとも１０重量％含有され、さらに、前記少なくとも一つのワックスが、１μｍ以上のサイズの粒子形態であるエマルション、及び、
（ｉｉ）組成物全重量に対して少なくとも０．１重量％の、少なくとも１つの皮膜形成ポリマーを含有するポリマー系であって、前記ポリマー系が、水中７％の濃度において、４０％の相対湿度下、３０℃で、単離された角質層の１％を越える収縮を起こす皮膜を形成できるポリマー系を含有してなり、０．１から５重量％の無水ケイ酸を含まないマスカラ組成物を適用することを含む、ケラチン繊維をロッドを用いずにカールさせ、且つ、濃くする方法。
【請求項２】　前記の針貫通を持つ少なくとも一つのワックスが、少なくとも７７℃かつ８３℃未満の融点を持つことを特徴とする請求項１記載の方法。
【請求項３】　前記の針貫通を持つ少なくとも一つのワックスが、８３℃から１１０℃の範囲の融点を持つことを特徴とする請求項１記載の方法。
【請求項４】　前記水中ワックス型エマルションが、前記の針貫通及び少なくとも７７℃かつ８３℃未満の融点を持つ少なくとも１つの第１のワックス、及び、前記の針貫通及び８３℃から１１０℃の融点を持つ少なくとも１つの第２のワックスを含有し、前記第１のワックスが、前記少なくとも１つの第１のワックス及び少なくとも１つの第２のワックスの合計重量に対して３５から６５重量％の範囲の量存在し、前記第２のワックスが、前記少なくとも１つの第１のワックス及び少なくとも１つの第２のワックスの合計重量に対して３５から６５重量％の範囲の量存在することを特徴とする請求項１記載の方法。
【請求項５】　前記水中ワックス型エマルションが、前記の針貫通及び７０℃から７７℃の融点を持つ少なくとも１つの第３のワックスをさらに含有することを特徴とする請求項４記載の方法。
【請求項６】　前記水中ワックス型エマルションが、前記の針貫通及び７０℃から７７℃の融点を持つ少なくとも１つの第３のワックスをさらに含有することを特徴とする請求項１記載の方法。
【請求項７】　前記水中ワックス型エマルションが、少なくとも５０℃かつ７０℃未満の融点及び７．５を越える針貫通を持つ少なくとも１つのワックスをさらに含有することを特徴とする請求項１記載の方法。
【請求項８】
（ｉ）１から７．５の範囲の針貫通及び７７℃から１１０℃の範囲の融点を持つワックス混合物の水中ワックス型エマルションであって、前記ワックス混合物が、
前記の針貫通及び少なくとも７７℃かつ８３℃未満の融点を持つ少なくとも１つの第１のワックス、前記の針貫通及び８３℃から１１０℃の範囲の融点を持つ少なくとも１つの第２のワックス、及び、前記の針貫通及び少なくとも７０℃かつ７７℃未満の融点を持つ少なくとも１つの第３のワックスを含有し、前記ワックス混合物が、組成物全重量に対して少なくとも１０重量％含有され、なおかつ前記ワックス混合物が、１μｍ以上のサイズの粒子形態であるエマルション、及び、　
（ｉｉ）組成物全重量に対して少なくとも０．１重量％の、少なくとも１つの皮膜形成ポリマーを含有するポリマー系であって、前記ポリマー系が、水中７％の濃度において、４０％の相対湿度下、３０℃で、単離された角質層の１％を越える収縮を起こす皮膜を形成できるポリマー系を含有してなるマスカラ組成物。
【請求項９】　前記水中ワックス型エマルションが、少なくとも５０℃かつ７０℃未満の融点及び７．５を越える針貫通を持つ少なくとも１つのワックスをさらに含有することを特徴とする請求項８記載の組成物。
【請求項１０】　前記水中ワックス型エマルションが、少なくとも５０℃つ７０℃未満の融点及び７．５より大きく２１７未満の針貫通を持つ少なくとも１つのワックスをさらに含有することを特徴とする請求項８記載の組成物。
　　　　　　　　　　　　　　　　　
３−３．刊行物の記載の概要
　　　　　　　　　　　　　　　　
刊行物１：特開平６−９０７７６号公報（甲第１号証）
　第６頁例Ａには、例１で得られる黒色色素１５．０g、トリエタノールアミンのステアレート１５．０g、カンデリラロウ８．０g、カルナバロウ１０．０g、ヒドロキシエチルセルロース０．９g、ケラチンの加水分解物（乾燥物質へと搾ったもの）０．７５g、保存剤を十分な量、及び全体を１００gにする量の水からなるマスカラクリームが記載されている。
　　　
刊行物２：特公平２−１２９２３号公報（甲第２号証）　
　第７頁例６には、トリエタノールアミンステアレート１５g、カンデリラろう８g、カルナウバろう１０g、ヒドロキシエチルセルロース１g、例１の化合物５g、黒色酸化物８g、パラヒドロキシ安息香酸メチル０．１５ g、パラヒドロキシ安息香酸プロピル０．１５g、及び全体を１００gにする量の水からなるマスカラ組成物の配合が記載され、このマスカラ組成物は乳濁液状である（第６頁、１２欄３９行〜１３欄４行）とされている。
　　　　　　　　　　　　　　　　
刊行物３：特開平６−９３４１号公報（甲第３号証）
　ワックス粒子の水性分散体と、少なくとも１種の水溶性被膜形成性ポリマーと、顔料とからなる目のメーキャップ用化粧料組成物において、上記の水性分散体が少なくとも１種のワックスの水性微細分散体である目のメーキャップ用化粧料組成物（請求項１）について、ワックスとしては、カルナバ蝋、カンデリラ蝋・・のごとき植物性ワックス、密蝋のごとき動物性ワックス、セラミド、ポリエチレンのごとき合成ワックスなど（３欄３６行〜４欄３１行）、水溶性被膜形成性ポリマーとしては、ヒドロキシエチルセルロース、アラビアゴム・・など（１１欄１５〜１９行）が記載されている。
　第１１頁の実施例１１には、グリセロールステアレート１．９g、”Tagat S“（ポリオキシエチレン化グリセロールモノステアレート；実施例６参照）５．１５g、及びカルナバロウ２８．４gとからなる相Ｉ、並びにアラヒアゴム３．０、ヒドロキシエチルセルロース０．５、PVPL（ポリビニルピロリドン；実施例６参照）１．０、Leogard　GP２．０、酸化チタン２．０、NaOH０．４、防腐剤適量、及び全体を１００gにする量の水とからなる相ＩＩを調製し、相Ｉに相ＩＩを８２℃の温度で加えてエマルジョンを形成させてなるマスカラの配合例が記載されている。
　　　　　　　　　　　　　　　　
刊行物４：特開平８一２６８８４１号公報　（甲第４号証）
　第４頁の表１の比較例１の欄に、ステアリン酸２．０重量％、カルナバワックス１２．０重量％、セタノール１．０重量％、モノステアリン酸グリセリン１．０重量％、ショ糖脂肪酸エステル１．５重量％、モノオレイン酸ポリオキシエチレンソルビタン１．３重量％、セスキオレイン酸ソルビタン０．５重量％、ロジン酸ペンタエリスリット７．０重量％．黒酸化鉄７．０重量％、マイカ２．０重量％、トリエタノールアミン１．１重量％、１，３−ブチレングリコール７．０重量％、ポリアクリル酸ポリマーエマルジョン（固形分５０％）１０重量％、ポリ酢酸ビニルポリマーエマルジョン（固形分４０％）２０重量％、無水ケイ酸２．５重量％、香料０．１重量％、防腐剤の適量、及び残部が精製水からなるマスカラが記載されている。
　表１の実施例５には、カルナバワックス１０．０重量％を含有させた同様の成分のマスカラが記載されている。
　　　　
刊行物５：特開昭５９−７１０７号公報（甲第５号証）
　６０〜１１０℃の融点を有する少なくとも１種のワックス、１，０００〜３，０００，０００の分子量を有するカチオン系ポリマー及びアニオン系ポリマーを含有する化粧品に使用する組成物（請求項１）について、第１２頁右下欄の例２には、カルナウバろう（融点８３〜８６℃）１５．００g、キャンデリラろう（融点６６〜７１℃）７．００g、トリエタノールアミンステアレート１０．００g、Darvan７（ポリメタクリレートナトリウム，１６頁右下欄参照）１．００g、Polymer ＪR４００の１．００g、ヒドロキシエチルセルロース０．２０g、アミノシリケートポリスルフィド４．００g、ブラック酸化鉄５．００g、イミダゾリジニル尿素０．３０g、及び全量を１００gにする量の軟化水からなり、脂肪性物質を顔料と一緒に加熱しつつ、次いで激しく撹拌しながら乳化剤その他の水性成分を加えて調製したマスカラが記載されている。
　　　　　　　
刊行物６：特開平５−１９４１４８号公報（甲第６号証）
　分散相が、融点４０〜１１０℃であり、２５℃における針入度が３〜４０であるワックスを少なくとも５０％含有し、その分散液が少なくともワックス３％と水性相５０％とを包含することを特徴とする、分散剤相と分散相とより作られる分散液よりなり、その分散剤相が少なくとも一つの水性ポリマーを含有する水性相である、まつ毛及び／又は眉用のメイクアップ化粧品組成物（請求項１）について、組成物の全量に対しワックスは０．５〜３０重量％（請求項２）、ワックスは、蜜ロウ、ラノリンワックス、イボタロウの動物ワックスから選択されたものであること（請求項４）、カルナルバロウとカンデリラロウ、オーリクリーロウ、コルク繊維ロウ、木ロウ、砂糖キビロウ及び水素化物の植物ワックスより選択されたものであること（請求項５）、パラフィンワックス、ミクロクリスタリンワックス、モンタンワックス及び臭ロウよりの鉱物ワックスから選択されたものであること（請求項６）。ポリエチレンワックス等の合成ワックスから選択されたものであること（請求項７）が記載されている。
　また、水性ポリマー（水溶性ポリマー）は、動植物蛋白質誘導体、キチン又はキトサン誘導体、セルロース誘導体、アクリル系ポリマー、ポリビニルピロリドン、ポリエステル、ポリプロイレンオキサイト及び天然ポリマーより選択されたものであること（請求項１５）、具体的にはヒドロキシエチルセルロース、アラビアゴム・・ポリエステル、ポリアクリルアミドなどが挙げられている（６欄１４〜３４行）。
　　　　　　　　　　
３−５．対比・判断
　　　　　　　　　　　　
（１）本件発明１〜７について　
　本件発明１において使用するマスカラ組成物と刊行物１〜３、５及び６に記載のマスカラ組成物とを対比すると、これらは、７７℃から１１０℃の範囲の融点を持つワックスの水中ワックス型エマルションであって、当該ワックスを組成物全重量に対して少なくとも１０重量％含有し、さらに皮膜形成ポリマーを含有するマスカラ組成物である点で一致するものの、刊行物１〜３、５及び６には、ワックスの粒子径の大きさや、皮膜形成ポリマーを含有するポリマー系の性質についての記載はなされていない。
　そして、本件発明１のケラチン繊維をロッドを用いずにカールさせ、且つ、濃くする方法においては、使用するマスカラ組成物が（ｉ）１から７．５の範囲の針貫通及び７７℃から１１０℃の範囲の融点を持つ少なくとも１つのワックスの水中ワックス型エマルションであって、前記少なくとも一つのワックスが、組成物全重量に対して少なくとも１０重量％含有され、さらに、前記少なくとも一つのワックスが、１μｍ以上のサイズの粒子形態であるエマルション、及び、（ｉｉ）組成物全重量に対して少なくとも０．１重量％の、少なくとも１つの皮膜形成ポリマーを含有するポリマー系であって、前記ポリマー系が、水中７％の濃度において、４０％の相対湿度下、３０℃で、単離された角質層の１％を越える収縮を起こす皮膜を形成できるポリマー系という２成分を同時に含有することが必須であるのに対し、上記の刊行物にはいずれも、かかるマスカラの組成やロッドを用いずにカールさせる方法を導くに足る記載や示唆は見あたらない。
　また、刊行物４には、特定量の高融点ワックスと被膜形成性の樹脂、被膜形成性のポリマーエマルション、及び無水ケイ酸を用いることにより、睫をカールし、目元をきわだたせる化粧効果に優れ、化粧効果の持続性が高く、良好な使用性を付与することができる睫化粧料に関する発明が記載されているが、カール効果を得るためには、無水ケイ酸を０．１〜５重量％含むことが必須とされているのに対し、本件発明１で使用するマスカラ組成物は、当該量の無水ケイ酸を含むものではない。したがって、本件発明１は、刊行物４に記載された発明と同一ではなく、またその記載から当業者が容易に発明できたとすることもできない。
　　　　　　　　　　　　　
　本件発明２〜７は本件発明１で使用するマスカラ組成物のワックス成分をさらに特定したものであるから、本件発明１と同様の理由により、刊行物１〜６に記載の発明であるとも、また、それらの記載から当業者が容易に発明することができたとすることもできない。
　　　　　　　　　　　　　
（２）本件発明８〜１０について
　本件発明８は、ケラチン繊維への良好なカールの提供のために、（ａ）１から７．５の範囲の針貫通及び少なくとも７７℃かつ８３℃未満の融点を持つ少なくとも１つの第１のワックス、（ｂ）１から７．５の範囲の針貫通及び８３℃から１１０℃の範囲の融点を持つ少なくとも１つの第２のワックス、及び、（ｃ）１から７．５の範囲の針貫通及び少なくとも７０℃かつ７７℃未満の融点を持つ少なくとも１つの第３のワックスを含むワックス混合物を含むことが特定されているが、刊行物１〜６に記載のマスカラ組成物には、上記（ａ）〜（ｃ）のワックスのうち、１つ或いは２つのワックスを使用した例の記載があるのみで、３つを組み合わせるものは見あたらない。
　また、本件発明８は、上記の特定のワックスの水中ワックス型エマルションにさらに「組成物全重量に対して少なくとも０．１重量％の、少なくとも１つの皮膜形成ポリマーを含有するボリマー系であって、水中７％の濃度において、４０％の相対湿度下、３０℃で、単離された角質層の１％を越える収縮を起こす被膜を形成できるポリマー系」という、特定の収縮特性を有する皮膜を提供するポリマー系を組み合わせるものであるが、上記の特定の水中ワックス型エマルションとそのような特定の収縮特性を有する皮膜を形成するポリマーとを共に組み合わせて使用すべき点についても刊行物１〜６は何ら教示していない。
　そして、本件発明８はこれらの成分の組み合わせにより、睫を厚くカールするメークアップ効果が奏されるものである。
　そうすると、これらの点について何ら記載も示唆もない刊行物１〜６に本件発明８が記載されていたとすることはできず、また、その記載から、本件発明８が容易に想到できたとすることはできない。
　　　　　　　
　本件発明９〜１０は、本件発明８の組成物に更に融点の低いワックスを加えたものであるから、本件発明８と同様の理由により、刊行物１〜６に記載の発明であるとも、また、それらの記載から当業者が容易に発明できたとすることもできない。
　　　　　　　　　
３−６．むすび
　以上のとおりであるから、特許異議申立ての理由及び証拠によっては、本件請求項１〜１０に係る特許を取り消すことはできない。
　また、他に本件請求項１〜１０に係る特許を取り消すべき理由を発見しない。
　よって、結論のとおり決定する。
【異議決定日】
平成１５年９月１１日（２００３．９．１１）
【訂正の要旨】
審決（決定）の【理由】欄参照。
（５４）【発明の名称】
硬質ワックス及び皮膜形成ポリマーの混合物を含むマスカラ組成物
（５７）【特許請求の範囲】
　【請求項１】　ケラチン繊維に、カールさせ、且つ、濃くするために有効な量の、
（ｉ）１から７．５の範囲の針貫通及び７７℃から１１０℃の範囲の融点を持つ少なくとも１つのワックスの水中ワックス型エマルションであって、前記少なくとも一つのワックスが、組成物全重量に対して少なくとも１０重量％含有され、さらに、前記少なくとも一つのワックスが、１μｍ以上のサイズの粒子形態であるエマルション、及び、
（ｉｉ）組成物全重量に対して少なくとも０．１重量％の、少なくとも１つの皮膜形成ポリマーを含有するポリマー系であって、前記ポリマー系が、水中７％の濃度において、４０％の相対湿度下、３０℃で、単離された角質層の１％を越える収縮を起こす皮膜を形成できるポリマー系を含有してなり、且つ、
０．１から５重量％の無水ケイ酸を含まないマスカラ組成物を適用することを含む、ケラチン繊維をロッドを用いずにカールさせ、且つ、濃くする方法。
　【請求項２】　前記の針貫通を持つ少なくとも一つのワックスが、少なくとも７７℃かつ８３℃未満の融点を持つことを特徴とする請求項１記載の方法。
　【請求項３】　前記の針貫通を持つ少なくとも一つのワックスが、８３℃から１１０℃の範囲の融点を持つことを特徴とする請求項１記載の方法。
　【請求項４】　前記水中ワックス型エマルションが、前記の針貫通及び少なくとも７７℃かつ８３℃未満の融点を持つ少なくとも１つの第１のワックス、及び、前記の針貫通及び８３℃から１１０℃の融点を持つ少なくとも１つの第２のワックスを含有し、
　前記第１のワックスが、前記少なくとも１つの第１のワックス及び少なくとも１つの第２のワックスの合計重量に対して３５から６５重量％の範囲の量存在し、前記第２のワックスが、前記少なくとも１つの第１のワックス及び少なくとも１つの第２のワックスの合計重量に対して３５から６５重量％の範囲の量存在することを特徴とする請求項１記載の方法。
　【請求項５】　前記水中ワックス型エマルションが、前記の針貫通及び７０℃から７７℃の融点を持つ少なくとも１つの第３のワックスをさらに含有することを特徴とする請求項４記載の方法。
　【請求項６】　前記水中ワックス型エマルションが、前記の針貫通及び７０℃から７７℃の融点を持つ少なくとも１つの第３のワックスをさらに含有することを特徴とする請求項１記載の方法。
　【請求項７】　前記水中ワックス型エマルションが、少なくとも５０℃かつ７０℃未満の融点及び７．５を越える針貫通を持つ少なくとも１つのワックスをさらに含有することを特徴とする請求項１記載の方法。
　【請求項８】　（ｉ）１から７．５の範囲の針貫通及び７７℃から１１０℃の範囲の融点を持つワックス混合物の水中ワックス型エマルションであって、前記ワックス混合物が、前記の針貫通及び少なくとも７７℃かつ８３℃未満の融点を持つ少なくとも１つの第１のワックス、前記の針貫通及び８３℃から１１０℃の範囲の融点を持つ少なくとも１つの第２のワックス、及び、前記の針貫通及び少なくとも７０℃かつ７７℃未満の融点を持つ少なくとも１つの第３のワックスを含有し、前記ワックス混合物が、組成物全重量に対して少なくとも１０重量％含有され、なおかつ前記ワックス混合物が、１μｍ以上のサイズの粒子形態であるエマルション、及び、
　（ｉｉ）組成物全重量に対して少なくとも０．１重量％の、少なくとも１つの皮膜形成ポリマーを含有するポリマー系であって、前記ポリマー系が、水中７％の濃度において、４０％の相対湿度下、３０℃で、単離された角質層の１％を越える収縮を起こす皮膜を形成できるポリマー系を含有してなるマスカラ組成物。
　【請求項９】　前記水中ワックス型エマルションが、少なくとも５０℃かつ７０℃未満の融点及び７．５を越える針貫通を持つ少なくとも１つのワックスをさらに含有することを特徴とする請求項８記載の組成物。
　【請求項１０】　前記水中ワックス型エマルションが、少なくとも５０℃つ７０℃未満の融点及び７．５より大きく２１７未満の針貫通を持つ少なくとも１つのワックスをさらに含有することを特徴とする請求項８記載の組成物。
【発明の詳細な説明】
　【０００１】
　【発明の属する技術分野】
　本発明は、ワックスと皮膜形成ポリマーの混合物を含んでなるマスカラ組成物の、ケラチン繊維、特に睫毛または毛髪の先端をカール及び濃くする（ｔｈｉｃｋｅｎ）ための使用に関する。また本発明は、ワックスと皮膜形成ポリマーの混合物を含んでなるマスカラ組成物にも関する。
　【０００２】
　【従来の技術】
　少なくとも１つのワックスを含むマスカラ組成物を製造するのは一般に行われている。しかしながら、このような組成物を用いたメークアップ効果は極めて凡庸であり、睫毛上に、乾燥後すぐにひび割れるような皮膜を形成しがちな不均一皮膜を形成することがわかっているため、ワックスは決して単独では用いられない。
　【０００３】
　また、特許出願ＷＯ　９６／３６３２３及びＷＯ　９６／３３６９０により、マスカラ組成物においてワックスと皮膜形成ポリマーを組み合わせることも知られている。しかし、そのような組み合わせは、睫毛をカールさせないし、睫毛に濃いメークアップ効果を与えもしない。
　【０００４】
　欧州特許出願ＥＰ−Ａ−５５７，１９６及びＥＰ−Ａ−６３９，３７１は、皮膜形成ポリマーと組み合わせたワックスの微小分散物を含むマスカラ組成物を提案している。しかし、これらの組成物は、睫毛上で得られるべき濃いメークアップ効果を示さず、即ち、これらのマスカラは装填量が低い。
　【０００５】
　【発明が解決しようとする課題】
　本発明の目的は、睫毛のカール及び得られるべき製品の睫毛上への装填を向上させることのできる化粧品組成物を提案することである。また本発明の目的は、睫毛を、即時に長持ちするカールさせ、過敏性の目を持つ個体においても良好に寛容されるメークアップ製品を構成することでもある。
　本発明者等は、ここに、驚くべきことに、そのようなメークアップ製品が、少なくとも１つのワックスと、特定の皮膜形成ポリマーとを用いることによって得られることを見いだした。
　【０００６】
　【課題を解決するための手段及び発明の実施の形態】
　よって、本発明の一つの主題は、ケラチン繊維、特に睫毛をカールさせる及び濃くするためのマスカラ組成物の使用であり、この組成物は、
　（ｉ）１から７．５の範囲の針貫通（ｎｅｅｄｌｅ　ｐｅｎｅｔｒａｔｉｏｎ）及び７７℃から１１０℃の範囲の融点を持つ少なくとも１つの、硬質ワックスとも呼ばれるワックス（Ｉ）の水中ワックス型（ｗａｘ−ｉｎ−ｗａｔｅｒ）エマルションであって、前記少なくとも一つのワックス（Ｉ）が、組成物全重量に対して少なくとも１０重量％含有され、前記少なくとも一つのワックスが、１μｍ以上のサイズの粒子形態であり、任意に、７０℃から７７℃の範囲の融点及び１から７．５の範囲の針貫通を持ち、１μｍ以上のサイズの粒子形態である少なくとも１つのワックスをさらに含有していてもよいエマルション、及び、
　（ｉｉ）組成物全重量に対して少なくとも０．１重量％の、少なくとも１つの皮膜形成ポリマーを含有するポリマー系（ｐｏｌｙｍｅｒ　ｓｙｓｔｅｍ）であって、前記ポリマー系が、水中７％の濃度において、４０％の相対湿度下、３０℃で、単離された角質層（ｓｔｒａｔｕｍ　ｃｏｒｎｅｕｍ）の１％を越える収縮を起こす皮膜を形成できるポリマー系を含有してなる。
　【０００７】
　本発明の他の主題は、ケラチン繊維をカールさせる及び／または濃くする方法であり、この方法は、前記ケラチン繊維に、カールさせる及び／または濃くするために有効な量のマスカラ組成物を適用することを含んでなり、このマスカラ組成物は、
　（ｉ）１から７．５の範囲の針貫通及び７７℃から１１０℃の範囲の融点を持つ少なくとも１つのワックス、及び、１から７．５の範囲の針貫通及び７０℃から７７℃の範囲の融点を持つ少なくとも１つのワックスの混合物の水中ワックス型エマルションであって、前記混合物が、組成物全重量に対して少なくとも１０重量％含有され、前記混合物が、１μｍ以上のサイズの粒子形態であるエマルション、及び、
　（ｉｉ）組成物全重量に対して少なくとも０．１重量％の、少なくとも１つの皮膜形成ポリマーを含有するポリマー系であって、前記ポリマー系が、水中７％の濃度において、４０％の相対湿度下、３０℃で、単離された角質層の１％を越える収縮を起こす皮膜を形成できるポリマー系を含有してなる。
　【０００８】
　本発明の他の主題はマスカラ組成物であり、このマスカラ組成物は、
　（ｉ）１から７．５の範囲の針貫通及び７７℃から１１０℃の範囲の融点を持つ、硬質ワックスとも呼ばれるワックスの少なくとも１つの混合物、
少なくとも７７℃かつ８３℃未満の融点を持つ少なくとも１つの第１のワックス（Ｉａ）、８３℃から１１０℃の範囲の融点を持つ第２のワックス（Ｉｂ）、及び７０℃以上７７℃未満の融点を持つ第３のワックス（Ｉｃ）を含むワックス混合物（Ｉ）の水中ワックス型エマルションであって、前記ワックス混合物（Ｉ）が、組成物全重量に対して少なくとも１０重量％含有され、前記ワックス混合物（Ｉ）が、１μｍ以上のサイズの粒子形態であるエマルション、及び、
　（ｉｉ）組成物全重量に対して少なくとも０．１重量％の、少なくとも１つの皮膜形成ポリマーを含有するポリマー系であって、前記ポリマー系が、水中７％の濃度において、４０％の相対湿度下、３０℃で、単離された角質層の１％を越える収縮を起こす皮膜を形成できるポリマー系を含有してなる。
　【０００９】
　本発明の他の主題は、上記のマスカラ組成物を貯蔵し、該組成物をケラチン繊維、特に睫毛に適用するシステムを備えたリザーバを具備するマスカラ製品である。
　本発明の他の主題は、上記の組成物をケラチン繊維に適用することを含んでなる、ケラチン繊維、特に睫毛のメークアップ方法である。
　本発明によれば、ワックスは、好ましくは１．５μｍ以上、より好ましくは１．５から１０μｍ、さらに好ましくは１．５から３．５μｍの範囲のサイズを有する粒子の形態である。
　【００１０】
　硬質ワックス（即ち、ワックス（Ｉ））という語は、７０℃から１１０℃の範囲の融点、及び１から７．５の針貫通を持つワックスを意味すると解される。ワックスの針貫通（ｎｅｅｄｌｅ　ｐｅｎｅｔｒａｔｉｏｎ）は、仏国規格ＮＦ　Ｔ　６０−１２３または米国規格ＡＳＴＭ　Ｄ　１３２１に従って、２５℃において測定される。これらの規格によると、針貫通は、９７．５ｇの可動の取付おもりを配置した２．５ｇの標準針を、試験すべきワックス上に５秒間置いたとき、針がワックスに貫通した深さを１／１０ミリメートル単位で表したものである。
　【００１１】
　本発明で用いられるワックス（Ｉ）は、動物起源のワックス、植物起源のワックス、鉱物起源のワックス、合成ワックス、及び、天然起源のワックスの種々の画分から選択することができ、これらのワックスは全て上記の２つの特性（針貫通及び融点）を有する。
　ワックス（Ｉ）は、特に、コメヌカワックス、カルナウバワックス、オーリカリーワックス（ｏｕｒｉｃｕｒｒｙ）ワックス、キャンデリラワックス、モンタンワックス、サトウキビワックス、及び、ワックス（Ｉ）の基準を満たすある種のポリエチレンワックスから選択することができる。
　好ましくは、本発明の組成物は、ワックス（Ｉ）の混合物を含む少なくとも１つのワックスを、組成物の全重量に対して、好ましくは１０から３０重量％、より好ましくは１３から２５重量％、さらに好ましくは少なくとも１５重量％、特に１５から２０重量％の量で含有する。
　【００１２】
　少なくとも１つのワックス（Ｉ）は、７７℃以上かつ８３℃未満の融点を持つ少なくとも１つの第１のワックス（Ｉａ）を含有することができる。
　また、少なくとも１つのワックス（Ｉ）は、少なくとも、８３℃から１１０℃の範囲の融点を持つ第２のワックス（Ｉｂ）との混合物を含有してもよい。この第２のワックス（Ｉｂ）は、ワックスの混合物（Ｉ）において単独で用いてもよく、ワックス（Ｉａ）と組み合わせてもよい。このようなワックス（Ｉｂ）は、例えば、カルナウバワックス、オーリカリーワックス、又はモンタンワックスである。カルナウバワックスが好ましく用いられる。
　また、少なくとも１つのワックス（Ｉ）は、７０℃以上７７℃未満の融点を持つ第３のワックス（Ｉｃ）を含有してもよい。このようなワックスは、例えば、キャンデリラワックスである。
　【００１３】
　本発明の使用では、マスカラ組成物は、上記の少なくとも１つの第１のワックス（Ｉａ）及び少なくとも１つの第２のワックス（Ｉｂ）を含むワックス混合物（Ｉ）を含有するのが好ましい。
　ワックス混合物（Ｉ）は、ワックス混合物（Ｉ）の全重量に対して３５から６５重量％のワックス（Ｉａ）、及び、ワックス混合物（Ｉ）の全重量に対して６５から３５重量％のワックス（Ｉｂ）を含有することができる。
　好ましくは、ワックス混合物（Ｉ）は、第１及び第２のワックス（Ｉａ、Ｉｂ）に加えて、上記の第３のワックス（Ｉｃ）を含有する。この第３のワックスは、ワックス混合物（Ｉ）の全重量に対して、好ましくは５から２０重量％の含有量で存在する。
　【００１４】
　好ましくは、第１、第２、及び第３のワックス（Ｉａ、Ｉｂ、Ｉｃ）は、組成物中に、各々、以下の重量比（重量／ワックス混合物（Ｉ）の全重量）の範囲で存在せしめることができる：
　　ワックス（Ｉａ）：０．３５から０．５、
　　ワックス（Ｉｂ）：０．３５から０．５、
　　ワックス（Ｉｃ）：０．０５から０．２。
　【００１５】
　本発明の使用では、組成物は、少なくとも１つのワックス（Ｉ）に加えて、水中７％の濃度において、４０％の相対湿度下、３０℃で、単離された角質層の好ましくは１％、より好ましくは１．２％、さらに好ましくは１．５％を越える収縮を起こす皮膜を形成できる少なくとも１つのポリマー系を含有する。この収縮は、好ましくは、皮膚抵抗測定器で測定される。このようなポリマーは、睫毛に極めて良好なカールを付与する。
　【００１６】
　「ポリマー系（ｐｏｌｙｍｅｒ　ｓｙｓｔｅｍ）」なる語は、所望の機械的特性が得られるように、ポリマー単独、少なくとも１つの他のポリマーと混合したポリマー、または少なくとも１つの可塑剤と混合したポリマーのいずれかを意味すると解される。
　「皮膜を形成できる」という表現は、ポリマー系が皮膜を形成し、ガラス上に拡げたときに、ポリマー系がひび割れ無しに乾燥されることを意味する。
　【００１７】
　本発明のポリマー系の皮膜形成ポリマーは、天然起源または合成起源のポリマーとすることができる。この皮膜形成ポリマーは、特に、水溶性または水分散性ポリマーである。
　天然起源のポリマーという表現は、植物起源及び動物起源のポリマーを意味すると解される。
　【００１８】
　植物起源のポリマーとしては、特に、タンパク質及びタンパク質加水分解物、より詳細には、穀物、マメ科植物及び油性植物の注出物、例えば、小麦、トウモロコシ、ライ麦、トリチカム・エスチバム小麦（Ｔｒｉｔｉｃｕｍ　ａｅｓｔｉｖｕｍ　ｗｈｅａｔ）、ソバ、ゴマ、トリチカム・スペルタ（Ｔｒｉｔｉｃｕｍ　ｓｐｅｌｔａ）、エンドウ、インゲンマメ、ヒラマメ、ダイズ、ルピナス等の抽出物が挙げられる。
　【００１９】
　動物起源のポリマーとしては、昆虫類または甲殻類の甲皮から得られるポリマーを用いることができる。例えば、キチン及びその誘導体、特にキチンの脱アセチル誘導体であるキトサン、並びに、キトサン誘導体、例えば、ヒドロキシプロピルキトサン、キトサンのスクシニル誘導体、キトサン乳酸エステル（または塩）、キトサングルタミン酸エステル（または塩）、及びカルボキシメチルキトサンスクシンアミド等を挙げることができる。
　【００２０】
　任意に修飾されていてもよい天然起源のポリマーは、例えば、セラック樹脂、酸だラック樹脂、ダンマー樹脂、エレミ樹脂、コーパル樹脂、及びセルロース誘導体である。
　【００２１】
　天然起源の好適な水溶性ポリマーとして、Ｉｃｈｉｍａｒｕ　Ｐｈａｒｃｏｓ社から″ＨＰＣＨ　　ｐｏｗｄｅｒ″の名称で市販されているヒドロキシプロピルキトサン、及び、Ｃｒｏｄａ社から″Ｔｒｉｔｉｓｏｌ″の名称で市販されている小麦タンパク質加水分解物（約２５０，０００ダルトンの分子量を持つ）を挙げることができる。
　【００２２】
　合成ポリマーは、重縮合タイプでもラジカルタイプでもよい。
　重縮合物としては、アニオン性、カチオン性、非イオン性または両性ポリウレタン、ポリウレタン−アクリル樹脂、ポリウレタン−ポリビニルピロリドン、ポリエステル−ポリウレタン、ポリエーテル−ポリウレタン、ポリ尿素−ウレタン、ポリ尿素、スルホポリエステル（特に、米国特許第３，７３４，８７４号、米国特許第４，２３３，１９６号、及び米国特許第４，３０４，９０１号に記載されたもの、これらの特許の開示内容は、ここに参考として取り入れる）、及びこれらの混合物が挙げられる。ラジカルポリマーとしては、アクリルポリマー、アクリル／スチレンコポリマー、及び、ビニルエステルコポリマー等のビニルコポリマーを挙げることができる。
　【００２３】
　好ましい合成ポリマーとして、特に、″ＳＡＮＣＵＲＥ　２０６０″（ポリエステル−ポリウレタン）、″ＳＡＮＣＡＲＥ　８１５″（ポリエステル−ポリウレタン）の名称で市販されているポリエステル−ポリウレタン分散物、あるいは、イソフタレート／スルホイソフタレートに基づくスルホポリエステル、特に、ジエチレングリコール、シクロヘキサン時メタノール、イソフタル酸及びスルホイソフタル酸の縮合によって得られるスルホポリエステル、中でも、Ｅａｓｔｍａｎ社からＡＱ５５Ｓの名称で市販されているものが挙げられる。
　【００２４】
　皮膜形成ポリマーが、それ自身では上記の得られるべき特徴を持つ皮膜を形成しないとき、皮膜形成ポリマーの特性を、所望のポリマー系が得られるように修正する機能を持つ化合物を添加することができる。即ち、本発明の組成物の一実施態様では、前記ポリマー系が、少なくとも１つの皮膜形成助剤を含有し、この助剤は、上記の特徴を有する皮膜を得ることを可能にする。この皮膜形成助剤は、特に、睫毛を良好にカールさせる皮膜を得ることを可能にする。この場合、ポリマー系は、１つまたはそれ以上の皮膜形成ポリマーと、少なくとも１つの皮膜形成助剤とを含有する。
　【００２５】
　このような皮膜形成助剤は、当業者に周知の化合物であって所望の機能を満足することのできる化合物から選択でき、特に、可塑剤の中から選択することができる。さらに、本発明のポリマー系が、皮膜形成ポリマー粒子の水性分散物を少なくとも１つ含有する場合、皮膜形成助剤は、癒着剤（ｃｏａｌｅｓｃｅｎｃｅ　ａｇｅｎｔｓ）から選択することができる。この助剤は、水溶性でも水不溶性でもよく、任意に水性分散物の形態であってもよい。
　【００２６】
　特に、単独または混合物として用いられる一般の可塑剤または癒着剤が挙げられ、例えば：
・グリコール及びその誘導体、例えば、ジエチレングリコールエチルエーテル、ジエチレングリコールメチルエーテル、ジエチレングリコールブチルエーテル、ジエチレングリコールヘキシルエーテル、エチレングリコールエチルエーテル、エチレングリコールブチルエーテル、またはエチレングリコールヘキシルエーテル；
・グリコールエステル；
・ポリエチレングリコール誘導体、特に、プロピレングリコールフェニルエーテル、プロピレングリコールジアセテート、ジプロピレングリコールブチルエーテル、トリプロピレングリコールブチルエーテル、プロピレングリコールメチルエーテル、ジプロピレングリコールエチルエーテル、トリプロピレングリコールメチルエーテル、ジエチレングリコールメチルエーテル、及びプロピレングリコールブチルエーテル；
・酸エステル、特に、カルボン酸エステル、例えば、クエン酸塩、フタル酸塩、アジピン酸塩、炭酸塩、酒石酸塩、リン酸塩、及びセバシン酸塩；
・オキシエチレン化された誘導体、例えば、オキシエチレン化オイル、特に、ひまし油等の植物オイル；シリコーンオイル；
・２５℃、好ましくは１５℃未満の低ガラス転移点を持つ水溶性ポリマー。
　【００２７】
　皮膜形成助剤の量は、当業者がその知識に基づいて、所望の機械的特性を有する皮膜をもたらすと同時に、組成物に許容できる化粧品特性を残すように選択することができる。
　この組成物は、組成物の全重量に対して、好ましくは０．１から１０重量％、より好ましくは０．３から７重量％の、皮膜形成ポリマー固体を含有することができる。
　本発明で用いられるポリマー系（ポリマーまたはポリマーと可塑剤）は、特に、組成物全重量に対して、好ましくは０．１から１５、より好ましくは０．３から１０％の活性成分（Ａ．Ｍ．）量で存在せしめることができる。
　【００２８】
　さらに、本発明で用いられる組成物は、少なくとも１つの、軟質ワックスとも呼ばれる、５０℃以上７０℃未満の融点、及び、７．５より大きく好ましくは２１７以下の針貫通を持つワックス（ＩＩ）を含有することができる。但し、この針貫通は、前記ワックス（Ｉ）に対するものと同じ条件に従って測定した値である。このワックス（ＩＩ）は、特に、睫毛に適用されたメークアップに可撓性（しなやかさ）を付与することができる。
　【００２９】
　これらのワックス（ＩＩ）は、特に、ビーズワックス、ラノリンワックス、パラフィンワックス、セレシンワックス、微結晶ワックス、オゾケライト、鯨脳、ワックス（ＩＩ）の基準を満たすような分子量を持つある種のポリエチレンワックス、及び水素化植物オイルから選択できる。
　【００３０】
　水素化植物オイルの中で、水素化ホホバ油ワックス、及び、直鎖状又は非直鎖状Ｃ８−Ｃ３２脂肪鎖を含む脂肪物質の触媒的水素化によって得られ、ワックスの定義に合致する品質を有する水素化オイルが挙げられる。特に、水素化ヒマワリ油、水素化ひまし油、水素化ヤシ油、及び水素化ラノリンを挙げることができる。　好ましくは、ワックス（Ｉ）とワックス（ＩＩ）は、組成物中に、ワックス（Ｉ）／ワックス（ＩＩ）の重量比が、好ましくは２：１から５：１、よりこのＡＭシクは２．５：１から３．５：１の範囲となるように存在する。
　【００３１】
　本発明で用いられる組成物は、組成物の全重量に対して、好ましくは２から３０重量％、より好ましくは５から２０重量％の範囲で存在する乳化界面活性剤を含有することができる。これらの界面活性剤は、アニオン性又は非イオン性界面活性剤から選択することができる。界面活性剤の特性及び機能（乳化）の測定については、「化学工学辞典、カーク・オスマー（Ｅｎｃｙｃｌｏｐｅｄｉａ　ｏｆ　Ｃｈｅｍｉｃａｌ　Ｔｅｃｈｎｏｌｏｇｙ、Ｋｉｒｋ−Ｏｔｈｍｅｒ）」、第２２巻、３３３−４３２頁、第３版、１９７９、Ｗｉｌｅｙなる文献を参照することができ、特に、この参照文献の３４７−３７７頁を、ここに、特にアニオン性及び非イオン性界面活性剤についての参考として取り入れる。
　【００３２】
　本発明の組成物で好適に用いられる界面活性剤は以下のものである。
・非イオン性ポリマーの中では、脂肪酸、脂肪アルコール、ポリオキシエトキシル化ステアリルまたはセチルステアリルアルコール等のポリエトキシル化またはポリグリセロール化脂肪アルコール、スクロースの脂肪酸エステル、アルキルグルコースエステル、特に（Ｃ１−Ｃ６）アルキルグルコースのポリオキシエチレン化脂肪エステル。
・アニオン性界面活性剤の中では、アミン、アンモニアまたはアルカリ塩で中和されたＣ１６−Ｃ３０脂肪酸。
　油中水型エマルションが得られるようにする界面活性剤が、好ましく用いられる。
　【００３３】
　本発明の組成物において、水は、組成物の全重量に対して、好ましくは３０から８０重量％存在する。
　さらに、この組成物は、少なくとも１つの濃化剤、好ましくは親水性のものを含有できる。濃化剤は、例えば、カルボキシビニルポリマー（カルボマー）、アクリレート／アルキルアクリレート等のアクリルコポリマー、ポリアクリルアミド、ポリサッカリド、天然ゴム及びクレー（ｃｌａｙ）から選択できる。
　【００３４】
　この組成物は、８から１６の範囲のＨＬＢを持つシリコーン界面活性剤を有利に含有することができる。好ましくは、このような界面活性剤は、ジメチコーンコポリオールである。本発明の組成物が睫毛に適用された場合、シリコーン界面活性剤は、長時間に渡るより良好なスタイリング力、及び、適用された組成物の機械的歪みに対するより良好な耐性を与える。
　【００３５】
　ジメチコーンコポリオールは、次の一般式（Ｉ）で表される化合物から選択できる。
　【化１】
　【００３６】
上記一般式（Ｉ）において、
・Ｒ１は、個々に独立して、水素原子、直鎖状又は分枝状のＣ１−Ｃ３０アルキル基、またはフェニル基を示す。
・Ｒ２は、独立に、−（ＣｘＨ２ｘ）−（ＯＣ２Ｈ４）ａ−（ＯＣ３Ｈ６）ｂ−ＯＲ３を示す。
・Ｒ３は、独立に、水素原子、１から１２の炭素原子を持つ直鎖状又は分枝状のアルキル基、及び、２から１２の炭素原子を持つ直鎖状又は分枝状のアシル基を示す。
・ｎは、０から１０００の範囲内である。
・ｐは、１から３０の範囲内である。
・ａは、０から５０の範囲内である。
・ｂは、０から５０の範囲内である。
・ａ＋ｂは１以上である。
・ｘは、１から５の範囲内である。
・数平均分子量は、１５，０００以上、好ましくは、２５，０００から７５，０００の範囲内である。
　【００３７】
　上記一般式（Ｉ）で表されるオキシアルキレン化シリコーンで、以下の条件の少なくとも１つ、好ましくは全てを満足するものが好ましく用いられる。
・Ｒ１が、メチル基である。
・Ｒ３が、水素原子、メチル基、又はアセチル基、好ましくは水素である。
・ｐが、８から２０の範囲内である。
・ａが、５から４０、好ましくは１５から３０の範囲内である。
・ｂが、５から４０、好ましくは１５から３０の範囲内である。
・ｘが、２または３である。
・ｎが、２０から６００、好ましくは５０から５００、さらに好ましくは１００から３００の範囲内である。
　このようなシリコーンは、例えば、米国特許第４，３１１６９５号に記載されており、それを、参考としてここに取り入れる。
　【００３８】
　ジメチコーンコポリオールは、特にＤｏｗ　Ｃｏｒｎｉｎｇ社によって、１９９２年１０月のＩ．Ｆ．Ｓ．Ｃ．Ｃ．の第１７回国際会議で発表され、論文集の１から３頁の、Ｌｉｎｄａ　Ｍａｄｏｒｅ等による「パーソナルケア工業におる水溶性ジメチコーンコポリオールワックス（Ｗａｔｅｒ−ｓｏｌｕｂｌｅ　ｄｉｍｅｔｈｉｃｏｎｅ　ｃｏｐｏｌｙｏｌ　ｗａｘｅｓ　ｆｏｒ　ｐｅｒｓｏｎａｌ　ｃａｒｅ　ｉｎｄｕｓｔｒｙ）」なる記事で報告された。この開示を、参考としてここに取り入れる。
　【００３９】
　これらのジメチコーンコポリオールは、１つ又はそれ以上の官能基（オキシアルキレン、特にオキシエチレン及び／またはオキシプロピレン）を含む水溶性ポリジメチルシロキサン（ＰＤＭＳ）である。このようなジメチコーンコポリオールは、特に、Ｇｏｌｄｓｃｈｍｉｄｔ社がＡＢＩＬ　Ｂ８８５１またはＡＢＩＬ　Ｂ８８１８３の名称で販売している。また、Ｓｈｉｎｎ　Ｅｔｓｕ社によって販売されているＫＦ３５１から３５４及びＫＦ　６１５、または、Ｗａｃｋｅｒ社からのＤＭＣ　６０３８という化合物も挙げられる。
　【００４０】
　用いることのできるジメチコーンコポリオール誘導体は、特に、リン酸塩、硫酸塩、ミリスタミドプロピルジメチルアンモニウムクロリド、ステアレート、アミン、糖修飾、等の基を含むジメチコーンコポリオールである。Ｓｉｌｔｅｃｈ社からＳＩＬＰＨＯＳ　Ａ１００、ＳＩＬＴＥＣＨ　ＡＭＩＮＥ　６５、ＳＩＬＷＡＸ　ＷＤＩＳの名称で販売されている化合物及びミリスタミドシリコーン４級（ｑｕａｔ）、あるいは、Ｐｈｏｅｎｉｘ社からＰＥＣＯＳＩＬ　ＰＳ　１００の名称で販売されている化合物は、特にジメチコーンコポリオール誘導体として用いることができる。
　【００４１】
　Ｗａｃｋｅｒ社からＶＰ１６６１の名称で販売されている誘導体、または、Ｄｏｗ　Ｃｏｒｎｉｎｇから２５０１　ｃｏｓｍｅｔｉｃ　ｗａｘの名称で販売されている誘導体も使用できる。
　シリコーンとして最も好ましいのは、例えば、Ｄｏｗ　Ｃｏｒｎｉｎｇ社からＱ２−５２２０という商品名で販売されているもの、及び、Ｒｈｏｎｅ　ＰｏｌｅｎｃからＭＩＲＡＳＩＬ　ＤＭＣＯの商品名で販売されていものである。
　【００４２】
　また、本発明の組成物は、化粧品に通常含まれている成分、例えば、ビタミン、微量元素、軟化剤、金属イオン封鎖剤、香料、オイル、シリコーン、及び粘着剤等、並びに、化粧品分野で通常用いられる酸性化剤または塩基性化剤、充填剤、顔料及び皮膚軟化剤等を、及び防腐剤を含有することができ、友情は１から１０％の範囲で用いられる。
　【００４３】
　本発明の組成物は、マスカラ組成物を貯蔵し、該組成物をケラチン繊維、特に睫毛に適用するシステムを備えたリザーバを具備するマスカラ製品に適している。リザーバは、周知の方法で開口部を備え、その中に流出システムが差し込まれる。適用システムは、第１の末端にブラシを具備し、第２の末端において、リザーバを閉鎖するためのストッパーに接続されたステムを含む。このようなパッケージは、特に欧州特許出願ＥＰ−Ａ−６１１，１７０の図７に記載され、その開示は参考としてここに取り入れる。
　【００４４】
　【実施例】
　本発明を、さらに詳細に説明するが、本発明は以下の実施例によって何ら限定されるものではない。
　【００４５】
収縮測定方法
　測定原理は、角質処理前及び処理後に、単離された角質層の試験サンプルの長さを測定し、該試験サンプルの収縮の割合を決定することにある。
　ｄｉａｓｔｒｏｎ社から販売されているエクステンショメータ（ｅｘｔｅｎｓｉｏｍｅｔｅｒ）に装着した、１０から２０μｍの範囲の厚さの、１ｃｍ×０．４ｃｍの角質層の試験サンプルを用いた。
　試験サンプルを２つの顎部の間に配置し、相対湿度４０％かつ３０℃の雰囲気内に１２時間放置した。
　【００４６】
　試験サンプルを、２ｍｍ／分の速度で、最初の長さの５から１０％伸びるように引き伸ばし、機械的な検出により、試験サンプルが顎部に力を作用させ始める長さＬ１を決定する。
　次いで、試験サンプルを弛緩させ、７重量％のポリマーを含有する２ｍｇの水性組成物を角質層に適用する。組成物を全て蒸発させた後、試験サンプルを上記と同条件で引き伸ばし、処理したサンプルについての長さＬ２を決定する。
　収縮の割合は、比率：１００×（Ｌ２−Ｌ１）／Ｌ１によって定義する。
　【００４７】
実施例１：
　以下の組成のマスカラを調製した。
　　・コメヌカワックス　　　　　　　　　　　　　　　　　　　　　７ｇ
　　・カルナウバワックス　　　　　　　　　　　　　　　　　　　　７ｇ
　　・キャンデリラワックス　　　　　　　　　　　　　　　　　２．８ｇ
　　・トリエタノールアミンステアレート　　　　　　　　　　　８．４ｇ
　　・ビーズワックス　　　　　　　　　　　　　　　　　　　　　　６ｇ
　　・小麦タンパク質加水分解物（Ｃｒｏｄａ社から″ＴＲＩＴＩＳＯＬ″の名称で市販）
　　　　　　　　　　　　　　　　　　　　　　　　　　　　　０．３１ｇＡＭ
　　・ヒドロキシエチルセルロール　　　　　　　　　　　　　　１．５ｇ
　　・顔料　　　　　　　　　　　　　　　　　　　　　　　　　　　８ｇ
　　・防腐剤　　　　　　　　　　　　　　　　　　　　　　　　　　適量
　　・水　　　　　　　　　　　　　　　　　　　全体を１００ｇとする量
　【００４８】
　ワックス、界面活性剤、及び防腐剤を、９０℃で融解して混合した。顔料を、９０℃において融解した混合物に分散させた。ＴＲＩＴＩＳＯＬ及びヒドロキシエチルセルロースを冷水に溶解させた。次いで、水相を９０℃に加熱し、攪拌しながら融解した混合物に投入し、混合物が均一になるまで約９０℃に維持した。次に、組成物を室温まで冷却した。
　このようにして、水中ワックス型分散物の形態であり、ワックス粒子が１．５μｍより大きなサイズであるマスカラが得られた。
　このマスカラを睫毛に適用することにより、睫毛が極めて良好にカールし、メークアップが良好に装填されたこと：睫毛が良好な厚みのメークアップを有することがわかった。
　【００４９】
実施例２：
　以下の組成のマスカラを調製した。
　　・コメヌカワックス　　　　　　　　　　　　　　　　　　　　１０ｇ
　　・カルナウバワックス　　　　　　　　　　　　　　　　　　　　８ｇ
　　・キャンデリラワックス　　　　　　　　　　　　　　　　　　　１ｇ
　　・トリエタノールアミンステアレート　　　　　　　　　　　　　９ｇ
　　・ビーズワックス　　　　　　　　　　　　　　　　　　　　　　４ｇ
　　・小麦タンパク質加水分解物（Ｃｒｏｄａ社から″ＴＲＩＴＩＳＯＬ″の名称で市販）
　　　　　　　　　　　　　　　　　　　　　　　　　　　　　　０．４ｇＡＭ
　　・ヒドロキシエチルセルロール　　　　　　　　　　　　　　１．５ｇ
　　・顔料　　　　　　　　　　　　　　　　　　　　　　　　　　　５ｇ
　　・防腐剤　　　　　　　　　　　　　　　　　　　　　　　　　　適量
　　・水　　　　　　　　　　　　　　　　　　　全体を１００ｇとする量
　　・ジメチコーンコポリオール（Ｄｏｗ　Ｃｏｒｎｉｎｇ社から″Ｑ２−５５２０″の名称で市販）
　　　　　　　　　　　　　　　　　　　　　　　　　　　　　　０．３ｇ
　【００５０】
　このようにして、適用された後の睫毛の良好なカールを与えるマスカラが得られた。睫毛に適用されたメークアップは、厚くて良好なスタイリング力を長時間有していた。
　【００５１】
実施例３
　以下の組成のマスカラを調製した。
　　・コメヌカワックス　　　　　　　　　　　　　　　　　　　　　８ｇ
　　・カルナウバワックス　　　　　　　　　　　　　　　　　　　　８ｇ
　　・パラフィンワックス　　　　　　　　　　　　　　　　　　　　２ｇ
　　・トリエタノールアミンステアレート　　　　　　　　　　　　　９ｇ
　　・ビーズワックス　　　　　　　　　　　　　　　　　　　　　　３ｇ
　　・ジグリコール／シクロヘキサンジメタノール／イソフタレート／スルホイソフタレートコポリマー（Ｅａｓｔｍａｎ社から″ＥＡＳＴＭＡＮ　ＡＱ−５５Ｓ″の名称で市販）
　　　　　　　　　　　　　　　　　　　　　　　　　　　　　　　　１ｇ
　　・ヒドロキシエチルセルロール　　　　　　　　　　　　　　１．２ｇ
　　・顔料　　　　　　　　　　　　　　　　　　　　　　　　　　　７ｇ
　　・防腐剤　　　　　　　　　　　　　　　　　　　　　　　　　　適量
　　・水　　　　　　　　　　　　　　　　　　　全体を１００ｇとする量
　【００５２】
　このマスカラを睫毛に適用した後、睫毛の良好なカールが見られた、同時に、睫毛に厚いメークアップが適用された。
　【００５３】
実施例４（本発明）：
　以下の組成のマスカラを調製した。
　　・カルナウバワックス　　　　　　　　　　　　　　　　　２０．１ｇ
　　・ポリオキシエチレン化（３０ＥＯ）グリセリルモノステアレート（Ｇｏｌｄｓｃｈｍｉｄｔ社からのＴＡＧＡＴＳ）
　　　　　　　　　　　　　　　　　　　　　　　　　　　　　６．７１ｇ
　　・アロビアゴム　　　　　　　　　　　　　　　　　　　　　１．５ｇ
　　・パンテノール　　　　　　　　　　　　　　　　　　　　　　　１ｇ
　　・顔料　　　　　　　　　　　　　　　　　　　　　　　　　　　５ｇ
　　・水酸化ナトリウム　　　　　　　　　　　　　　　　ｐＨ７とする量
　　・防腐剤　　　　　　　　　　　　　　　　　　　　　　　　　　適量
　　・水　　　　　　　　　　　　　　　　　　　全体を１００ｇとする量
　【００５４】
実施例５（比較例）：
　以下の組成を持つ、特許出願ＥＰ−Ａ−５５７，１９６に記載されたワックス微小分散物をを調製した。
　　・カルナウバワックス　　　　　　　　　　　　　　　　　２２．５ｇ
　　・ＴＡＧＡＴＳ　　　　　　　　　　　　　　　　　　　　　７．５ｇ
　　・防腐剤　　　　　　　　　　　　　　　　　　　　　　　　　　適量
　　・水　　　　　　　　　　　　　　　　　　　全体を１００ｇとする量
　このワックス微小分散物は、２８３ｎｍの平均ワックス粒子サイズを有している。
　【００５５】
　次に、このワックス微小分散物を用いて以下の組成物を持つマスカラを調製した。
　　・ワックス微小分散物　　　　　　　　　　　　　　　　　８９．５ｇ
　　・ヒドロキシエチルセルロース（Ａｍｅｒｃｈｏｌ社からのＣＥＬＬＯＳＩＺＥ　ＱＰ４４００Ｍ）
　　　　　　　　　　　　　　　　　　　　　　　　　　　　　　　　１ｇ
　　・アロビアゴム　　　　　　　　　　　　　　　　　　　　　１．５ｇ
　　・パンテノール　　　　　　　　　　　　　　　　　　　　　　　１ｇ
　　・顔料　　　　　　　　　　　　　　　　　　　　　　　　　　　５ｇ
　　・水酸化ナトリウム　　　　　　　　　　　　　　　　ｐＨ７とする量
　　・防腐剤　　　　　　　　　　　　　　　　　　　　　　　　　　適量
　　・水　　　　　　　　　　　　　　　　　　　全体を１００ｇとする量
　【００５６】
　実施例４及び５の組成物を用いて睫毛をメークアップし、得られたメークアップ結果を比較したところ、実施例４（本発明）の組成物でメークアップした睫毛のみが、厚くてカールするメークアップ効果を有することがわかった。
　【００５７】
実施例６〜９
　以下の組成を持つ、本発明の３つのマスカラ（実施例６〜８）、及び本発明を構成しないマスカラ（比較例９）を調製した。
　表中、「全１００ｇ」は、全体を１００ｇとする量を示す。「トリシロール小麦タンパク水解物」は、″ｔｒｉｔｉｓｏｌ　ｗｈｅａｔ　ｐｒｏｔｅｉｎ　ｈｙｄｒｏｌｙｓａｔｅ″である。
　【００５８】
　【表１】
　【００５９】
　実施例４〜９の組成物を用いて睫毛をメークアップし、得られたメークアップ結果を比較したところ、実施例６から８（本発明）の組成物でメークアップした睫毛の方が、比較例９（本発明を構成しない）の組成物で得られたものに比較して、より厚く、よりカールするメークアップ効果を有することがわかった。